(57)【特許請求の範囲】
【請求項１】
撮像素子により撮影を行う撮像装置であって、
回動する２枚のシャッタ羽根により矩形状の開口部を遮光するシャッタユニットと、
前記撮像素子による撮影画像を補正する補正手段と、を備え、
前記２枚のシャッタ羽根は、前記開口部を遮光する際に当該開口部の中心付近を覆う部分が当該開口部の四隅付近を覆う部分よりも先に当該開口部を遮光し始める形状となっており、前記２枚のシャッタ羽根において前記開口部に臨む部分が、当該開口部の互いに対向する長辺にそれぞれ平行な状態で当該長辺に垂直な方向に互いに逆向きに走行し、
前記補正手段は、前記開口部を前記２枚のシャッタ羽根が遮光する撮影動作に伴って前記撮影画像に生じる周辺光量落ちを、前記撮像素子の全ての垂直ラインに対して同一の補正用データを適用することによって前記撮像素子の各水平ラインの各画素から取得する画像信号のゲインを制御することで補正することを特徴とする撮像装置。
【請求項２】
前記２枚のシャッタ羽根は、撮影待ちの待機状態において、前記開口部の長辺に垂直な方向の待機位置で待機していることを特徴とする請求項１に記載の撮像装置。
【請求項３】
前記２枚のシャッタ羽根は、セパレート板を挟んで配置され、当該セパレート板と当接する突起を有していることを特徴とする請求項１又は２に記載の撮像装置。
【請求項４】
前記補正手段は、撮像素子から得られるアナログの画像信号をデジタルの画像信号に変換する際に、前記周辺光量落ちの補正を行うことを特徴とする請求項１乃至３のいずれか１項に記載の撮像装置。
【発明の詳細な説明】
【技術分野】
【０００１】
本発明は、撮像装置に関し、特に、シャッタに係る技術に関する。
【背景技術】
【０００２】
現在、デジタルカメラ等の撮像装置、携帯電話等に搭載された撮像装置で使用されるシャッタにおいて、シャッタスピードを高速化する各種の手法が提案されている。
【０００３】
例えば、特許文献１では、シャッタ羽根を駆動する駆動ピンにバネを係合させ、このバネのバネ力により、電磁アクチュエータで駆動ピンを介してシャッタ羽根を閉じる際の閉じ走行をアシストすることで、シャッタスピードを高速化している。
【０００４】
また、近年の撮像装置の小型化に伴い、絞りをシャッタの近傍に配置することなく、シャッタと絞りを離間して配置する場合がある。
【先行技術文献】
【特許文献】
【０００５】
【特許文献１】特開２００３−００５２５２号公報
【発明の概要】
【発明が解決しようとする課題】
【０００６】
しかしながら、特許文献１の技術では、バネなどの部品点数が増加し、コスト高となっていた。
【０００７】
また、特許文献１の技術では、シャッタスピードを高速化することはできるが、撮像画面の中心部と周辺部における露光量の差を低減する効果はそれほど高くなかった。また、シャッタと絞りを離間して配置した場合は、絞りをシャッタの近傍に配置した場合よりも、撮像画面（開口部）の中心部分と周辺部分における露光量の差が大きくなり、撮影画像において、所謂、周辺光量落ちが発生していた。
【０００８】
このように、周辺光量落ちが発生した場合、従来技術では、シャッタの開口部の遮光動作が開口領域間でアンバランスに行なわれ、大掛かりなシェーディング補正処理を行う必要があった。
【０００９】
本発明は、このような従来技術の背景の下になされたもので、その目的は、シャッタスピードを安価に高速化することができ、且つ、撮像画像での周辺光量落ちを容易に補正できる形態でシャッタ羽根を駆動できる撮像装置を提供することにある。
【課題を解決するための手段】
【００１０】
上記目的を達成するため、本発明は、撮像素子により撮影を行う撮像装置であって、回動する２枚のシャッタ羽根により矩形状の開口部を遮光するシャッタユニットと、前記撮像素子による撮影画像を補正する補正手段と、を備え、前記２枚のシャッタ羽根は、前記開口部を遮光する際に当該開口部の中心付近を覆う部分が当該開口部の四隅付近を覆う部分よりも先に当該開口部を遮光し始める形状となっており、前記２枚のシャッタ羽根において前記開口部に臨む部分が、当該開口部の互いに対向する長辺にそれぞれ平行な状態で当該長辺に垂直な方向に互いに逆向きに走行し、前記補正手段は、前記開口部を前記２枚のシャッタ羽根が遮光する撮影動作に伴って前記撮影画像に生じる周辺光量落ちを、前記撮像素子の全ての垂直ラインに対して同一の補正用データを適用することによって前記撮像素子の各水平ラインの各画素から取得する画像信号のゲインを制御することで補正することを特徴とする。
【発明の効果】
【００１１】
本発明によれば、シャッタスピードを安価に高速化することができ、且つ、撮像画像での周辺光量落ちを容易に補正できる形態でシャッタ羽根を駆動できるようにすることが可能となる。
【図面の簡単な説明】
【００１２】
【図１】本発明の実施の形態に係る撮像装置の概略構成を示すブロック図である。
【図２】図１に示すシャッタユニットの分解斜視図である。
【図３】上記シャッタユニットの正面図である（待機状態）。
【図４】上記シャッタユニットの断面図である。
【図５】上記シャッタユニットの正面図である（閉じ始めの状態）。
【図６】図５の開口部の拡大図である。
【図７】一般的なシャッタユニットと上記シャッタユニットにおけるシャッタ羽根の走行動作を比較した図である。
【図８】一般的なシャッタユニットと上記シャッタユニットにおける露光量を比較した図である。
【図９】上記シャッタユニットの正面図である（閉じ終わる直前の状態）。
【図１０】上記シャッタユニットの正面図である（閉じ終えた状態）。
【図１１】上記シャッタユニットの遮光動作に伴って発生する周辺光量落ちを説明するための図である。
【図１２】上記周辺光量落ちの補正処理を説明するための図である。
【発明を実施するための形態】
【００１３】
以下、本発明を実施するための形態を図面に基づいて説明する。図１は、本発明の実施の形態に係る撮像装置の概略構成を示すブロック図である。本撮像装置は、デジタルカメラとして構成されている。なお、図１においては、絞りユニット１０５とシャッタユニット１０６は、ズームレンズ１０４ｂを挟む形態で離間して配置されているが、通常通り、絞りユニット１０５とシャッタユニット１０６を近づけて配置することも可能である。
【００１４】
図１において、操作部１０１は、本デジタルカメラに対して各種の指示を行うための各種のスイッチにより構成されている。このスイッチの中には、シャッタスイッチ１０１ａも含まれている。シャッタスイッチ１０１ａは、シャッタボタンの第１の押下ストロークでオンする第１スイッチと、第１の押下ストロークよりも長い第２の押下ストロークでオンする第２スイッチを有している。
【００１５】
制御部１０２は、本デジタルカメラの全体的な動作を制御するものであり、操作部１０１からの各スイッチのオン信号に応じて本デジタルカメラの各部の動作を制御する。ＣＣＤ部１０３は、フォーカスレンズ１０４ａ、絞りユニット１０５、ズームレンズ１０４ｂ、シャッタユニット１０６を介して入射される被写体の光学像を光電変換し、アナログの画像信号として出力する。
【００１６】
Ａ／Ｄ変換部１０７は、ＣＣＤ部１０３のＣＣＤ１０３ａから出力されたアナログの画像信号に対して、サンプリング、ゲイン制御、Ａ／Ｄ変換等を行い、デジタルの画像信号として出力する。なお、撮像素子としてのＣＣＤ１０３ａの駆動制御は、制御部１０２の制御の下に、ＣＣＤ部１０３の駆動回路（図示省略）により行なわれる。また、Ａ／Ｄ変換部１０７は、上記のゲイン制御により、ＣＣＤ１０３ａの各画素のアナログの画像信号（画素信号）を取得する際のゲインを制御することにより、後述する周辺光量落ちを補正する機能も有している。
【００１７】
画像処理部１０８は、Ａ／Ｄ変換部１０７から出力されたデジタルの画像信号に対して、シェーディング補正、ホワイトバランス処理等の各種の画像処理を行って画像データとして出力する。この場合、画像処理部１０８は、上記のシェーディング補正としては、フォーカスレンズ１０４ａやズームレンズ１０４ｂ、ＣＣＤ１０３ａの特性等に起因する明度のむらを補正するためのシェーディング補正を行なう。ＥＶＦ表示部１０９は、液晶ディスプレイ画面等により構成され、画像処理部１０８による画像処理済みの画像データを表示する。
【００１８】
フォーマット変換部１１０は、画像処理部１０８から出力された画像データのフォーマットをＪＰＥＧなどの圧縮規格のフォーマットに変換して、画像記録部１１１に出力する。画像記録部１１１は、フォーマット変換部１１０からのフォーマット変換済みの圧縮画像データを、本デジタルカメラ内の不図示のメモリや、本デジタルカメラに挿入されている外部メモリなどに記録する。
【００１９】
外部接続部１１２は、本デジタルカメラをパーソナルコンピュータ、プリンタ等の外部装置に接続するためのインターフェースとして機能する。ＡＦ制御部１１３は、フォーカスレンズ１０４ａを光軸方向に移動することにより、被写体の光学像をＣＣＤ部１０３のＣＣＤ１０３ａ上で自動的に合焦させる（ＡＦ処理）。ＡＥ制御部１１４は、絞りユニット１０５、シャッタユニット１０６の開口量を制御することにより、適正露出を自動的に実現する（ＡＥ処理）。
【００２０】
なお、上記のＡＦ処理、ＡＥ処理は、画像処理部１０８から出力された画像データを用いて行なうことができる。また、本デジタルカメラには、二次電池等の電源部（図示省略）も含まれている。
【００２１】
次に、本デジタルカメラの撮影動作を説明する。操作部１０１に含まれている電源スイッチ（図示省略）がオンされると、制御部１０２は、本デジタルカメラを構成する上記の各部に電源電圧を供給する。この電源電圧の供給により、シャッタユニット１０６のシャッタ羽根が開き、被写体の光学像がＣＣＤ部１０３に入射される。ＣＣＤ部１０３は、制御部１０２の制御の下に、被写体の光学像を光電変換し、アナログの画像信号として出力する。
【００２２】
このアナログの画像信号は、制御部１０２の制御の下に、Ａ／Ｄ変換部１０７によりゲイン調整（制御）、Ａ／Ｄ変換等の処理が施され、画像処理部１１０によりシェーディング補正等の画像処理が施されて、ＥＶＦ表示部１０９に表示される。この場合、制御部１０２は、画像処理部１１０からの画像データに基いて、ＡＦ処理部１１３による合焦動作、ＡＥ処理部１１６による露光量決定動作を制御する。
【００２３】
そして、制御部１０２は、シャッタスイッチ１０１ａの第１のスイッチがオンされると、この時点における画像処理部１１０からの画像データに基いて、撮影時におけるフォーカスレンズ１０４ａの合焦位置、最適露光量等の撮影条件を決定する。この場合、制御部１０２は、最適露光量としては、絞りユニット１０５の開口量、及びシャッタユニット１０６の開閉速度（シャッタスピード）を決定する。その後、シャッタスイッチ１０１ａの第２のスイッチがオンされると、制御部１０２は、決定した撮影条件で撮影を行うように、ＡＦ処理部１１３、ＡＥ処理部１１４を制御する。
【００２４】
次に、シャッタユニット１０６の構成を図２、図３等に基いて説明する。図２に示すように、シャッタユニット１０６は、電磁アクチュエータ１、シャッタ地板２、上側シャッタ羽根３、セパレート板４、下側シャッタ羽根５、及びシャッタカバー６を基本的な構成要素としている。
【００２５】
電磁アクチュエータ１は、励磁コイル１ｃとロータ１ｒがアクチュエータカバー１ｃｖにより覆われる状態で、ボルト１ｂによりシャッタ地板２に取り付けられる。この場合、ロータ１ｒに形成された駆動ピン１ｒｐは、シャッタ地板２に形成された長孔２ｈｌから上側シャッタ羽根３の方向に突出した状態となる。
【００２６】
上側シャッタ羽根３と下側シャッタ羽根５は、セパレート板４を挟む形態で、シャッタ地板２により回動可能に軸支される。すなわち、シャッタ地板２の羽根支持軸２ａｘ１には、上側シャッタ羽根３の丸孔３ｈｃ、及びセパレート板４の丸孔４ｈｃ１が嵌合される。また、シャッタ地板２の羽根支持軸２ａｘ２には、下側シャッタ羽根５の丸孔５ｈｃ、及びセパレート板４の丸孔４ｈｃ２が嵌合される。
【００２７】
また、ロータ１ｒに形成された駆動ピン１ｒｐは、シャッタ地板２の長孔２ｈｌ、上側シャッタ羽根３の長孔３ｈｌ、下側シャッタ羽根５の長孔５ｈｌ、セパレート板４の長孔４ｈｌに共通に挿入される。この場合、上側シャッタ羽根３、下側シャッタ羽根５は、それぞれ羽根支持軸２ａｘ１，２ａｘ２の１点だけで軸支され、回動自在な状態となっている。
【００２８】
従って、ロータ１ｒの回動により、駆動ピン１ｒｐが上記の長孔３ｈｌ，５ｈｌの壁面に当接し、ロータ１ｒの回動力が駆動ピン１ｒｐを介してシャッタ羽根３，５に伝達されることにより、シャッタ羽根３，５は、開閉駆動されることとなる。この場合、シャッタ羽根３，５の開く方向の最大走行量は、シャッタ地板２に形成された開きストッパ２ｓｏにより規制され、閉じる方向の最大走行量は、シャッタ地板２に形成された閉じストッパ２ｓｃにより規制される。
【００２９】
なお、シャッタ羽根３，５には、それぞれ３つの半球状の突起３ｐ，５ｐ（図３参照）が形成されている。これにより、シャッタ羽根３，５が走行する際のセパレート板４との摩擦抵抗が低減され、シャッタスピードを可及的に高速化することが可能となる。また、図３に示すように、シャッタ地板２とセパレート板４の間、及びセパレート板４とシャッタカバー６の間には、それぞれ、上側シャッタ羽根３、下側シャッタ羽根５に塵埃が付着するのを防止するための羽根室７，８が形成されている。
【００３０】
シャッタ地板２、セパレート板４、及びシャッタカバー６の中央部には、それぞれ、開口部２Ｗ，４Ｗ，６Ｗが形成されている。ＣＣＤ１０３の前には有害な光を遮断するための不図示のマスクが配置されており、その開口部は横が長辺、縦が短辺の長方形をしている。このため、図４、図１０等に示すように、撮影画面の形状を規制するシャッタユニット１００の実質的な開口部Ｗは、長辺Ｗａと短辺Ｗｂを有する矩形状となる。
【００３１】
次に、上側シャッタ羽根３、下側シャッタ羽根５について、図４〜図１０に基いて詳細に説明する。なお、図４は撮影待ちの待機状態を示し、図５は上側シャッタ羽根３、下側シャッタ羽根５が閉じ始めた状態を示し、図６は図５の開口部Ｗの拡大図を示している。
【００３２】
また、図７は一般的なシャッタユニットと本実施の形態のシャッタユニットにおけるシャッタ羽根の走行動作を比較した図であり、図８は一般的なシャッタユニットと本実施の形態のシャッタユニットにおける露光量を比較した図である。また、図９は本実施の形態における上側シャッタ羽根３、下側シャッタ羽根５が開口部Ｗを閉じる直前の状態を示し、図１０は上側シャッタ羽根３、下側シャッタ羽根５が開口部Ｗを閉じた状態を示している。
【００３３】
図４〜図６、図７（ｂ）等に示すように、上側シャッタ羽根３と下側シャッタ羽根５は、開口部Ｗの長辺ｗａに平行する形態で、開口部Ｗの短辺ｗｂが延びる方向に走行するように、シャッタ地板２の羽根支持軸２ａｘ１，２ａｘ２により軸支されている。
【００３４】
また、図４に示すように、撮影待ちの待機状態では、電磁アクチュエータ１のロータ１ｒには、非通電の状態で開き側に回転するような磁気的付勢力が作用し、上側シャッタ羽根３と下側シャッタ羽根５は、開口部Ｗから離れた位置で待機している。
【００３５】
なお、この待機位置は、開口部Ｗの短辺Ｗｂが延びる方向（長辺Ｗａに垂直な方向）となっており、開口部Ｗの長辺Ｗａが延びる方向を待機位置とする場合よりも、開口部Ｗとの離間距離を大きく取ることができる。換言すれば、待機位置を開口部Ｗの長辺Ｗａに垂直な方向とすることにより、待機位置を長辺Ｗａに平行な方向とした場合よりも、シャッタ羽根３，５が開口部Ｗを閉じ始めるまでの助走距離を長く取ることができる。
【００３６】
上記の待機状態において、電磁アクチュエータ１に対して、図４等の時計回りに回転するように通電を行なうことで、上側シャッタ羽根３、下側シャッタ羽根５は、それぞれ、図４の矢印Ａｒ１、矢印Ａｒ２の方向（互いに逆向き）に走行し、開口部Ｗを閉じていく。
【００３７】
この場合、上側シャッタ羽根３、下側シャッタ羽根５は、開口部Ｗの短辺Ｗｂが延びる方向の待機位置から走行を開始することとなる。これは、前述の助走距離の大小関係で、開口部Ｗの長辺Ｗａが延びる方向の待機位置から走行を開始する場合よりも、開口部Ｗを閉じ始めるまでの時間、すなわち助走時間を長く取ることができることを意味する。
【００３８】
そのため、上側シャッタ羽根３、下側シャッタ羽根５が開口部Ｗを閉じ始めた時点では（図５参照）、上側シャッタ羽根３、下側シャッタ羽根５は、開口部Ｗの長辺Ｗａが延びる方向で待機した場合よりも、加速した状態になる。
【００３９】
従って、上側シャッタ羽根３、下側シャッタ羽根５は、開口部Ｗの長辺Ｗａが延びる方向で待機した場合よりも、開口部Ｗを閉じ始めてから閉じ終わるまでの時間を短くすること、すなわち、シャッタスピードを速くすることができる。
【００４０】
ところで、図７（ａ）に示すような一般的なシャッタユニットのシャッタ羽根３０，５０では、開口部Ｗの第１象限Ａ、第３象限Ｃ及び第４象限Ｄから閉じていき、最後に第２象限Ｂを閉じるといった順番で開口部Ｗを閉じていく。そのため、開口部Ｗを閉じ始めてから閉じ終わるまでの時間、すなわち、露光時間が長くなり、シャッタスピードが遅くなってしまう。
【００４１】
また、開口部Ｗの第１象限Ａ、第３象限Ｃ及び第４象限Ｄが早く閉じ始められて早く閉じ終わるのに対し、第２象限Ｂは閉じ始められるもの閉じ終わるのも遅くなってしまう。このため、図８（ａ）に示すように、第２象限Ｂの露光量が第１象限Ａ、第３象限Ｃ及び第４象限Ｄの露光量よりも極端に増加してしまい、撮影画像に対して、シャッタユニット１０６に起因するシェーディングを補正する必要性が出てくる可能性がある。
【００４２】
これに対し、本実施の形態では、図６に示すように、上側シャッタ羽根３、下側シャッタ羽根５は、開口部Ｗの中心付近Ｗｏを覆う縁部（部分）３ｏ，５ｏが、四隅付近Ｗｃｎを覆う縁部（部分）３ｃ、５ｃよりも先に遮光し始める形状となっている。
【００４３】
また、図９に示すように、開口部Ｗを閉じる際、上側シャッタ羽根３の縁３ｅ及び下側シャッタ羽根５の縁５ｅと開口部Ｗとで形成される開口形状が、開口部Ｗの長辺Ｗａが延びていく方向に長い形状となり、中心付近Ｗｏと周辺付近Ｗｃｆをほぼ同時に遮光するようになっている。
【００４４】
このため、開口部Ｗの第１象限Ａ〜第４象限Ｄを、開口部Ｗの長辺Ｗａに平行に、且つ開口部Ｗの短辺Ｗｂが延びていく方向にバランス良く遮光していくことができ、図８（ｂ）に示すように、開口部Ｗの第１象限Ａ〜第４象限Ｄ露光量の差が少なくなる。これにより、後で詳細に説明するように、シャッタユニット１０６に起因するシェーディング補正処理を容易に行うことが可能となる。また、開口部Ｗの中心付近Ｗｏと四隅付近Ｗｃｎを閉じるための上側シャッタ羽根３、下側シャッタ羽根５の走行距離が短くなり、シャッタスピードを速くすることができる。
【００４５】
なお、開口部Ｗの第１象限Ａ〜第４象限Ｄを、開口部Ｗの長辺Ｗａに平行に、且つ開口部Ｗの短辺Ｗｂが延びていく方向にバランス良く遮光していくことは、上側シャッタ羽根３と下側シャッタ羽根５の軸支位置と羽根形状とを工夫することで実現される。すなわち、本実施の形態では、上側シャッタ羽根３と下側シャッタ羽根５の開口部Ｗに臨むそれぞれの辺が、開口部Ｗの互いに対向する長辺Ｗａに可及的に平行な状態となるように、上側シャッタ羽根３と下側シャッタ羽根５の羽根の形状を工夫している。
【００４６】
また、上側シャッタ羽根３と下側シャッタ羽根５の開口部Ｗに臨むそれぞれの辺が、開口部Ｗの長辺Ｗａに垂直な方向に互いに逆向きに走行するように、上側シャッタ羽根３、下側シャッタ羽根５の羽根支持軸２ａｘ１，２ａｘ２の取付け位置が規定されている。
【００４７】
このような構成により、開口部Ｗの第１象限Ａ〜第４象限Ｄを、開口部Ｗの長辺Ｗａに可及的に平行な状態で、且つ開口部Ｗの長辺Ｗａに垂直な方向にバランス良く遮光していくことで、シャッタスピードを安価に高速化することができる。さらに、後述するように、撮影画像での周辺光量落ちを容易に補正できることにもなる。
【００４８】
次に、シャッタユニット１０６による遮光動作に伴って発生する撮影画像での周辺光量落ちを補正する補正処理について、図１１、図１２に基いて説明する。
【００４９】
前述のように、開口部Ｗの長辺Ｗａに可及的に平行な状態で、且つ開口部Ｗの長辺Ｗａに垂直な方向にバランス良く閉じて行った場合、図１１（ａ）に示ように、撮影画像Ｐでは、上下の水平ラインから中央の水平ラインに行くに従って光量が多くなっていく。この場合、或る垂直ラインで見た場合の各水平ラインの光量変化は、図１１（ｂ）のように略楕円状の単純な光量変化となる。しかも、図１１（ｂ）のような略楕円状の単純な光量変化は、全ての垂直ラインでほぼ同一となる。
【００５０】
従って、シャッタユニット１０６による周辺光量落ちは、電気的にゲインをアップするという簡単なシェーディング補正により補正することができる。すなわち、図１２（ｂ）に示すように、光量が少ない上下の垂直位置ではゲインを高くし、光量が多い中央の垂直位置ではゲインを低くすることで、シャッタユニット１０６による周辺光量落ちを容易に補正することができる。
【００５１】
このような電気的なゲインの制御を行うための補正用データとしては、図１２（ａ）に示す撮像素子としてのＣＣＤ１０３ａの１つの垂直ライン分のデータだけを予め記憶しておけばよく、容易且つ安価にシェーディング補正を行なうことができる。これは、図１１（ａ）に示すように、水平方向では光量変化が殆ど無く、前述のように、図１１（ｂ）のような略楕円状の単純な光量変化は、全ての垂直ラインでほぼ同一となるため、上記の記憶データを各垂直ラインに対して適用することができるからである。
【００５２】
このように、本実施の形態では、少ない補正データと簡単な補正動作により、シャッタユニット１０６による遮光動作に伴って発生する撮影画像での周辺光量落ちを補正している。この周辺光量落ちの補正処理は、特に、絞りユニットとシャッタユニットを離間して配置した場合に、周辺光量落ちが顕著に発生するので有用性が高くなる。
【００５３】
なお、本実施の形態では、シャッタユニット１０６による周辺光量落ちを電気的なゲインの制御によりシェーディング補正する補正処理は、Ａ／Ｄ変換部１０７により行なうことを想定している。この場合、Ａ／Ｄ変換部１０７は、ＣＣＤ１０３ａの全ての垂直ラインに対して同一の補正用データを用いて、ＣＣＤ１０３ａの各水平ラインの各画素から取得する画像信号のゲインを制御すればよい。
【００５４】
ただし、シャッタユニット１０６に起因する周辺光量落ちを、画像処理部１０８による画像処理で補正することも可能である。この場合においても、補正用データとしては、ＣＣＤ１０３ａの１つの垂直ライン分のデータだけを予め記憶しておけばよく、容易且つ安価にシェーディング補正を行なうことができることは言うまでもない。
【００５５】
なお、本発明は、上記の実施の形態に限定されることなく、例えば、３枚以上の複数のシャッタ羽根を有するシャッタユニット、或いは当該シャッタユニットを搭載した撮像装置に上記の実施の形態の技術思想を適用することも可能である。
【符号の説明】
【００５６】
３…上側シャッタ羽根
５…下側シャッタ羽根
１０２…制御部
１０３ａ…ＣＣＤ
１０６…シャッタユニット
１０７…Ａ／Ｄ変換部
１０８…画像処理部
Ｗ…開口部
Ｗａ…開口部の長辺
Ｗｂ…開口部の短辺
【図１】
0005645379.tif 000002
【図２】
0005645379.tif 000003
【図３】
0005645379.tif 000004
【図４】
0005645379.tif 000005
【図５】
0005645379.tif 000006
【図６】
0005645379.tif 000007
【図７】
0005645379.tif 000008
【図８】
0005645379.tif 000009
【図９】
0005645379.tif 000010
【図１０】
0005645379.tif 000011
【図１１】
0005645379.tif 000012
【図１２】
0005645379.tif 000013